(57)【要約】【課題】シャッターの閉鎖状態を確実に保ち、防犯安全性を向上する事ができるシャッター固定具の提供。【解決手段】多数のスラットが屈曲可能に連結され、一端部が巻胴に巻き付けられると共に他端部がガイドレールに移動可能に支持されるシャッターにあって、ガイドレールの外部に面する板面を裏板と固定板ではさみ、後加工としてあけた穴に取り付けネジを介して双方を固定し、その固定板の下端に軸を設け、その軸を介して上方に半回転する可動板の他端にシャッター固定棒を設け、シャッター固定棒が固定板及びガイドレール及び裏板を貫通し、スラットに設けた穴をも貫通しスラットの上昇を妨げ、もってシャターの固定状態を確実に保ち、防犯安全性を向上させることができる。【選択図】          図１
2004190326.tif 000002
【特許請求の範囲】
【請求項１】
多数のスラットが屈曲可能に連結され、一端部が巻胴に巻きつけられると共に他端部がガイドレールに移動可能に支持されるシャッターにあって、ガイドレールの外部に面する板面を裏板と固定板ではさみ、取り付けネジを介して双方を固定し、その固定板の下端に軸を設け、その軸を介して上方に半回転する可動板の他端にシャッター固定棒を設け、シャッター固定棒が固定板及びガイドレール及び裏板を貫通し、スラットに設けた穴をも貫通し、スラットの上昇を妨げる様にしたシャッター固定具。
【請求項２】
請求項１のシャッター固定棒に軸を中心とした半径の曲線を設けたシャッター固定具。
【請求項３】
請求項１の固定板の中央部に可動板固定環を設け、可動板を上方に半回転させた状態で市販の南京錠を可動板固定環に嵌合させる様にしたシャッター固定具。
【請求項４】
請求項１の固定板と裏板でガイドレールの外部に面する板面をはさみつけ取り付けネジで双方を固定し、可動板を上方に半回転させた時、この可動板でネジ頭を覆い隠す様に配置したシャッター固定具。
【発明の詳細な説明】
【０００１】
【発明の属する技術分野】
この発明は、シャッターの閉鎖状態を保つシャッター固定具に関するものである。
【０００２】
【発明が解決しようとする課題】
多数のスラットをヒンジ止めした従来のシャッターは、一端部を巻胴に巻掛けすると共に、他端に座板を取り付け、該座板及び他端側を開口部に固定されたガイドレール或いは着脱可能に取り付けられる中柱に上下方向へ  摺動可能に支持して構成されている。そして該シャッターは側方へ出没可能に設けられたラッチバーをガイドレール或いは中柱に設けられた穴に突出して閉鎖状態を保っている。
【０００３】
しかしながら、従来のシャッターにあっては、その閉鎖時に床面と座板の間にバール等を差し込んで上方へ持ち上げると、ラッチバーが折曲して穴から外れて開放させることができ、防犯安全性が悪かった。
【０００４】
また既設の錠は比較的簡単な錠が取り付けられているのが一般的で、ピッキング等の道具を使用して容易に解錠され侵入される可能性があった。
【０００５】
本発明は、上記した従来の欠点を解決するために発明されたものであり、その課題とする処は、既設シャッターに追加工事を行うだけで簡単に取り付けられる事により、シャッターの閉鎖状態をより確実に保ち、防犯安全性をより向上させることができるシャッター固定具を提供することにある。
【０００６】
【問題点を解決するための手段】
このため本発明は、多数のスラットが屈曲可能に連結され、一端部が巻胴に巻き付けられると共に他端部がガイドレールに移動可能に支持されるシャッターにあって、ガイドレールの外部に面する板面を裏板と固定板ではさみ、取り付けネジを介して双方を固定し、その固定板の下端に軸を設け、その軸を介して上方に半回転する可動板の他端にシャッター固定棒を設け、シャッター固定棒が固定板及びガイドレール及び裏板を貫通し、スラットに設けた穴をも貫通しスラットの上昇を妨げる様にしてある。
【０００７】
【発明の実施の形態】
以下、本発明の実施の形態を図に従って説明する。
【０００８】
実施形態図１図１はシャッター固定具の開放時の斜視図である。
【０００９】
実施形態図２は図１の状態から可動板を半回転した時の斜視図である。
【００１０】
実施形態図３は図２の状態で南京錠を使用した時の斜視図である。
【００１１】
シャッター１は公知の構造であり、例えば側面が台形に折曲された多数のスラット２相互を上下方向へ屈曲可能に連結してなり、その一端部（上部）は巻胴（図示せず）に巻掛されると共に他端には座板（図示せず）が取付けられている。そしてシャッター１の両側端部は開口部に固定或いは着脱可能に取付けられるガイドレール３に対して上下方向へ摺動可能に支持される。尚、各スラット２の端部には合成樹脂製のカバー（図示せず）が取付けられ、各スラット２相互を抜け止めすると共にガイドレール３を摺動する際の騒音発生を少なくしているガイドレール７は外面及び内面にシャッター１の側端部を支承するガイドレール片３ａを有した横断面がコ字形に形成されている。又、開口部が広い場合には複数枚のシャッター１を使用し、シャッター１相互間に、横断面が横向きＨ形の中柱（図示せず）を取り外し可能に設けて摺動可能に支持すればよい。
【００１２】
外側（屋外側）に位置するガイドレールには大小計３個の取り付け穴３ｘ・３ｙ・３ｚが形成されている。そして３ｙに応じた位置のスラットには２ｙの穴が形成されている。
【００１３】
次にシャッター固定具の使用方法を説明する。
【００１４】
図７はシャッターのガイドレールにシャッター固定具を取り付けた状態を示す斜視図である。
【００１５】
取り付けネジをはずした状態のシャッター固定具１０をガイドレール３のガイドレール片３ａに明けた３つの穴にあわせ、ガイドレール３ａの裏側に裏板１７をあてがい、取り付けネジ１６にてシャッター固定具１０をガイドレール３に固定する。  次にシャッター固定具１０の可動板１２を上方に半回転させ、シャッター固定棒１４が固定板１１の上方に設けた穴を貫通し、ガイドレール３をも貫通し、スラット２に設けた穴をも貫通させる。さらに固定板１１に設置した可動板固定環１５に市販の南京錠を取り付ける事により、可動板１２の反転を阻止し、シャッター固定棒１４を固定させる。
【００１６】
本実施形態は、ガイドレール３とスラット２の間に位置するシャッター固定具１０のシャッター固定棒１４によりシャッター１の押し上げが規制されるため、防犯安全性を高めることができる。
【００１７】
次にシャッター固定具の使用方法を説明する。
【００１８】
図９はシャッター固定状態を示す断面図である。
【００１９】
ガイドレールのガイド片３ａに取り付けられたシャッター固定具１０の可動板１２を半回転させると可動板下部に取り付けられたシャッター固定棒１４は固定板１１のシャッター固定棒通し穴１１ａを貫通しガイドレールのガイド片３ａを貫通し裏板１７を貫通し、そしてスラット２に設置した穴２ｙをも貫通する。
これによりスラット２の上昇を阻止し、シャッター１の固定状態を保持させる。
【００２０】
上記した実施形態にあっては、シャッター１を巻胴に巻きつける構成としたが、該巻き胴に電動モータを連結してシャッター１の開閉を自動的に行うもの或いは巻胴にばねを取り付け、該ばねの弾性力により巻胴を常に巻き取り方向へ付勢して手動開閉するものであってもよい。
【００２１】
【発明の効果】
このため本発明は、シャッターの閉鎖状態を確実に保ち、防犯安全性を向上することができる。
【図面の簡単な説明】
【図１】シャッター固定具の斜視図。
【図２】シャッター固定具の可動板を半回転させた斜視図。
【図３】図２の状態で南京錠を使用した斜視図。
【図４】裏板。
【図５】シャッターの切り欠き図。
【図６】シャッターの断面図。
【図７】シャッターのガイドレールにシャッター固定図を取り付けた斜視図。
【図８】図７で南京錠を使用した時の斜視図。
【符号の説明】
１．  シャッター全体、２．スラット、２ｙ．シャッター固定棒通し穴、３．ガイドレール、３ａ．ガイドレールのガイド片、３ｘ．取り付け穴、３ｙ．シャッター固定棒通し穴、１０．シャッター固定具（全体）、１１．固定板、１１ａ．シャッター固定棒通し穴、１２．可動板、１２ａ．固定環通し孔、１４．シャッター固定棒、１５．可動板固定環、１６．取り付けネジ、１８．固定板、２０．南京錠
【図１】
2004190326.tif 000003
【図２】
2004190326.tif 000004
【図３】
2004190326.tif 000005
【図４】
2004190326.tif 000006
【図５】
2004190326.tif 000007
【図６】
2004190326.tif 000008
【図７】
2004190326.tif 000009
【図８】
2004190326.tif 000010